(57)【要約】【課題】  装置を隙間なく横方向に並べて設置することができ、複数台の増幅器を実装する場合にも、装置構造の大幅な変更なしで、増幅器を横並びに増設することで対応可能な屋外基地局装置を提供する。【解決手段】  無線信号の送受信を行うためのモジュール群５を内部に実装した本体１と、本体１の側面に水平方向に並列に配置した増幅器３を、本体１の前後方向に移動可能に保持する保持手段として機能するシェルフ構造部２と、シェルフ構造部２によって保持された増幅器３と、本体１内のモジュール群５とを電気的に接続する電気的接続手段としてのバックプラグインコネクタ群１ｅ等を備える屋外基地局装置。保持した増幅器３の上方に冷却用のファンユニット４を備え、本体１から突出する突出部１ｂにバックプラグインコネクタ群１ｅ等を設け、防水手段の一部を構成するパッキン当接面１ｄを設けることができる。【選択図】  図６
2006135368.tif 000002
【特許請求の範囲】
【請求項１】
無線信号の送受信を行うためのモジュール群を内部に実装した本体と、
該本体の側面に水平方向に並列に配置した増幅器を、前記本体の前後方向に移動可能に保持する保持手段と、
該保持手段によって保持された前記増幅器と、前記本体内の前記モジュール群とを電気的に接続する電気的接続手段とを備えることを特徴とする屋外基地局装置。
【請求項２】
前記保持手段は、前記増幅器を前記本体の前後方向に摺動可能に保持するシェルフ構造部であることを特徴とする請求項１に記載の屋外基地局装置。
【請求項３】
前記保持手段は、保持した前記増幅器の上方に該増幅器を冷却するためのファンユニットを備えることを特徴とする請求項１又は２に記載の屋外基地局装置。
【請求項４】
前記電気的接続手段は、前記本体から突出する突出部に、前記増幅器と結合可能な電気コネクタと、該電気コネクタと前記増幅器との間に介装される防水手段とを備えることを特徴とする請求項１、２又は３に記載の屋外基地局装置。
【請求項５】
前記増幅器は、前記電気コネクタの防水手段としてのパッキン当接面に当接するパッキンを備えることを特徴とする請求項４に記載の屋外基地局装置。
【請求項６】
前記増幅器を、前記本体の側面に水平方向に複数並列に配置したことを特徴とする請求項１乃至５のいずれかに記載の屋外基地局装置。
【請求項７】
前記モジュール群を、前記本体の前後方向に移動可能に保持することを特徴とする請求項１乃至６のいずれかに記載の屋外基地局装置。
【発明の詳細な説明】
【技術分野】
【０００１】
本発明は、屋外基地局装置に関し、特に屋外に設置され、筐体内部にて無線信号の送受信を行う小型の屋外基地局装置に関する。
【背景技術】
【０００２】
近年、移動端末装置の加入者の急増に伴い、中継基地局の数も増加の一途を辿っている。この中継基地局として、設置場所、設置コスト等に鑑み、屋外に小型の基地局が設置されている。屋外に設置される小型の基地局は、送信出力が小さいため、自然空冷が行われ、放熱フィンを外部に突出させた構造が採用されていた。そのため、放熱が不十分で、誤動作や故障の原因となる場合があった。また、屋外基地局の送信信号の増幅器は、定期的に交換する必要があるが、外付けではなく内部に設置されているため、交換作業が容易でないという問題もあった。
【０００３】
そこで、特許文献１には、放熱効果が高く、増幅器の交換作業を容易に行うことのできる屋外基地局装置を提供するため、受熱プレート上に、一定間隔をおいて、一方を受熱面に他方を放熱面に各々等しく突出させて取り付けられた螺旋状の放熱フィンを、筐体内の最大発熱源の反対方向に設置し、受熱面側で受けた熱が放熱面側へと効果的に循環させて効率良く放熱し、発熱量の多いモジュールを、放熱フィンとともに装置側面から装置に装着し、その他のプリント板ユニットは、装置前面カバーを開放後、装置前面から着脱している。
【０００４】
【特許文献１】特開平９−３２２２２３号公報
【発明の開示】
【発明が解決しようとする課題】
【０００５】
しかし、上記従来の屋外基地局装置においては、高発熱のモジュールが装置側面から取り付けられており、モジュールを交換するには、装置の側面での作業が必要となり、装置の側面に作業用スペースを必要とするため、装置を並べて設置することができないという問題があった。
【０００６】
また、複数台の高発熱モジュールを設けるには、装置側の面積を拡大する必要があり、装置の実装効率が著しく低下するため、複数の高発熱モジュールを設けることができないという問題もあった。
【０００７】
そこで、本発明は、上記従来の屋外基地局装置における問題点に鑑みてなされたものであって、装置の側面における保守のための作業スペースが不要で、装置を隙間なく横方向に並べて設置することができるとともに、冗長構成等により複数台の増幅器を実装する場合にも、装置構造の大幅な変更なしで、増幅器を横並びに増設することで対応可能な屋外基地局装置を提供することを目的とする。
【課題を解決するための手段】
【０００８】
上記目的を達成するため、本発明は、屋外基地局装置であって、無線信号の送受信を行うためのモジュール群を内部に実装した本体と、該本体の側面に水平方向に並列に配置した前記増幅器を、前記本体の前後方向に移動可能に保持する保持手段と、該保持手段によって保持された前記増幅器と、前記本体内の前記モジュール群とを電気的に接続する電気的接続手段とを備えることを特徴とする。
【０００９】
そして、本発明によれば、本体の側面に水平方向に並列に配置した増幅器を、保持手段によって本体の前後方向に移動可能に保持するため、増幅器を装置の前面から着脱することができ、装置の側面における増幅器の保守のための作業スペースを不要とすることができる。
【００１０】
前記屋外基地局装置において、前記保持手段を、前記増幅器を前記本体の前後方向に摺動可能に保持するシェルフ構造部とすることができる。また、前記保持手段に、保持した前記増幅器の上方に該増幅器を冷却するためのファンユニットを備えるようにすることができる。
【００１１】
さらに、前記屋外基地局装置において、前記電気的接続手段に前記本体から突出する突出部を設け、この突出部に、前記増幅器と結合可能な電気コネクタと、該電気コネクタと前記増幅器との間に介装される防水手段とを備えるようにすることができる。前記増幅器は、前記電気コネクタの防水手段としてのパッキン当接面に当接するパッキンを備えるようにすることができる。
【００１２】
また、前記増幅器を、前記本体の側面に水平方向に複数並列に配置することができる。これによって、冗長構成等により複数台の増幅器を実装する場合において、装置構造の大幅な変更なしで、増幅器の実装数の増減に対応することができる。
【００１３】
さらに、前記モジュール群を、前記本体の前後方向に移動可能に保持するように構成することができる。これによって、増幅器及び無線信号の送受信を行うためのモジュール群をすべて装置の前面から脱着することができ、装置の保守のための作業スペースが不要で、装置を隙間なく水平方向に並列して設置することができる。
【発明の効果】
【００１４】
以上のように、本発明によれば、装置を隙間なく横方向に並べて設置することができるとともに、複数台の増幅器を実装する場合にも、装置構造の大幅な変更なしで、増幅器を横並びに増設することで対応可能な屋外基地局装置を提供することができる。
【発明を実施するための最良の形態】
【００１５】
図１は、本発明にかかる屋外基地局装置の全体構成の外観を示し、この屋外基地局装置は、無線信号の送受信を行うためのモジュール群を内部に実装した本体１と、本体１の側面に水平方向に並列に配置した増幅器３を収納して保持する保持手段として機能するシェルフ構造部２と、増幅器３を冷却するためのファンユニット４とを備える。
【００１６】
本体１は、前面にカバー１ａを有し、図６に示すように、カバー１ａを開閉してモジュール群５を内部に実装することができる。
【００１７】
シェルフ構造部２は、図１に示すように、冗長構成とするため増幅器３を合計２台実装している。このシェルフ構造部２は、図２に示すように、本体部１の側面に設置され、増幅器３及びファンユニット４を実装する。シェルフ構造部２の増幅器３の実装部は、増幅器３の挿入をガイドするための上側ガイド２ａ及び下側ガイド２ｂを備える。
【００１８】
本体１には、図３に示すように、突起部１ｂが設けられ、突起部１ｂの内部は、本体１と繋がっている。突起部１ｂは、増幅器３と接合する部分にコネクタ用穴１ｃを有し、コネクタ用穴１ｃの内部にはバックプラグインコネクタ群１ｅが設けられ、本体１とは内部にて電気的に接続される。また、コネクタ用穴１ｃの間口周囲にはパッキン当接面１ｄが設けられる。
【００１９】
増幅器３は、図４に示すように、上下に開口部を備えた放熱用のラジエータ３ａを有する。また、増幅器３は、上部に、シェルフ構造部２の上側ガイド２ａと係合する上側ガイドレール３ｂを有する。さらに、増幅器３は、図５に示すように、本体１の突起部１ｂに対応する部分にコネクタ用穴３ｄを有し、コネクタ用穴３ｄの内部には、バックプラグインコネクタ群３ｅが設けられている。また、コネクタ用穴３ｃの間口にはパッキン３ｆが設けられ、増幅器３の下部には、下側ガイドレール３ｃが設けられる。
【００２０】
次に、上記構成を有する屋外基地局装置の動作について、図６及び図７を参照しながら説明する。
【００２１】
図６に示すように、本体１のカバー１ａを開いてモジュール群５を本体１の内部に実装する。次に、増幅器３をシェルフ部２に挿入する。増幅器３を挿入する際には、図４及び図５に示す増幅器３の上側ガイドレール３ｂ及び下側ガイドレール３ｃを、図７に示すシェルフ部２の上側ガイド２ａ及び下側ガイド２ｂに挿入し、増幅器３をシェルフ構造部２の背面方向にスライドさせるようにして取り付ける。
【００２２】
増幅器３をシェルフ構造部２の奥まで挿入すると、図７に示すように、増幅器３のバックプラグインコネクタ群３ｅと、突起部１ｂのコネクタ群１ｄが接合され、増幅器３と突起部１ｂにおける電気的接続が完了する。それと同時に、増幅器３のパッキン３ｆと、突起部１ｂのパッキン当接面１ｅが当接し、パッキン３ｆが押し潰されることにより、筐体外部との防水性が確保される。
【００２３】
次に、本発明にかかる屋外基地局装置の第２の実施の形態について、図８を参照しながら説明する。
【００２４】
本実施の形態においても、基本的構成は上記第１の実施の形態と同様である。本実施の形態では、増幅器３の実装台数を４台とし、さらに２台の増幅器３を実装している。この場合においても、図３に示した突起部１ｂ及びシェルフ構造部２を水平方向に拡張するのみで対応することができ、装置の増設設計が容易となる。また、装置の外形寸法は、増加した増幅器３の台数分だけ水平方向の寸法が増加するに留めることができる。
【図面の簡単な説明】
【００２５】
【図１】本発明にかかる屋外基地局装置の全体構成を示す外観斜視図である。
【図２】図１の屋外基地局装置の側面に設けられたシェルフ構造部を示す一部破断斜視図である。
【図３】図１の屋外基地局装置の本体の側面に設けられた突起部を示す斜視図である。
【図４】図１の屋外基地局装置の増幅器を前方斜め上方向から見た状態を示す斜視図である。
【図５】図１の屋外基地局装置の増幅器を後方斜め下方向から見た状態を示す斜視図である。
【図６】図１の屋外基地局装置において、装置の前面から増幅器を抜き出した状態を示す一部破断斜視図である。
【図７】図１のＸ−Ｘ線断面図である。
【図８】図１の屋外基地局装置において、増幅器を増設した状態を示す斜視図である。
【符号の説明】
【００２６】
１      本体
１ａ    カバー
１ｂ    突起部
１ｃ    コネクタ用穴
１ｄ    パッキン当接面
１ｅ    バックプラグインコネクタ群
２      シェルフ構造部
２ａ    上側ガイド
２ｂ    下側ガイド
３      増幅器
３ａ    ラジエータ
３ｂ    上側ガイドレール
３ｃ    下側ガイドレール
３ｄ    コネクタ用穴
３ｅ    バックプラグインコネクタ群
３ｆ    パッキン
４      ファンユニット
５      内部実装モジュール群
【図１】
2006135368.tif 000003
【図２】
2006135368.tif 000004
【図３】
2006135368.tif 000005
【図４】
2006135368.tif 000006
【図５】
2006135368.tif 000007
【図６】
2006135368.tif 000008
【図７】
2006135368.tif 000009
【図８】
2006135368.tif 000010